【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
マトリクス状に配置された複数の発光素子及び前記複数の発光素子の各々を駆動する駆動回路を含む発光パネルと、入力映像信号に応じて前記駆動回路を制御する表示制御部と、前記発光パネルの表示輝度を調整するための調光信号を生成する調光信号生成回路と、を有するマトリクス型表示装置の駆動方法であって、
前記調光信号の内容に応じて、前記入力映像信号の同期タイミングに対応する単位フレーム期間内の前記複数の発光素子の各々の発光期間を定めるステップと、
該定められた発光期間に亘り前記複数の発光素子の各々を発光せしめるステップと、を有することを特徴とする駆動方法。
【請求項２】
前記定めるステップは、前記発光パネルの各走査ラインに対して、単位フレーム期間内の発光期間の長さが同一となるように前記発光期間を定めることを特徴とする請求項１記載の駆動方法。
【請求項３】
マトリクス状に配置された複数の発光素子及び前記複数の発光素子の各々を駆動する駆動回路を含む発光パネルと、入力映像信号の同期タイミングに対応する単位フレーム期間内に設定された複数のサブフィールド期間毎に前記駆動回路を制御する表示制御部と、前記発光パネルの表示輝度を調整するための調光信号を生成する調光信号生成回路と、を有するマトリクス型表示装置の駆動方法であって、
前記調光信号の内容に応じて、前記複数のサブフィールド期間の各々に対し、前記複数の発光素子の各々の発光期間を定めるステップと、
前記発光パネルの各走査ラインを順次走査して、前記サブフィールド期間毎に、該定められた発光期間に亘り前記複数の発光素子の各々を発光せしめるステップと、を有することを特徴とする駆動方法。
【請求項４】
前記定めるステップは、前記発光パネルの各走査ラインに対して、対応する前記サブフィールド期間の発光期間の長さが同一となるように前記発光期間を定めることを特徴とする請求項３記載の駆動方法。
【請求項５】
前記定めるステップは、前記複数のサブフィールド期間の各々の開始時期を発光開始時期として定めるステップを含み、前記発光せしめるステップは、該定められた発光開始時期から前記定められた発光期間に亘り前記前記複数の発光素子の各々を発光せしめることを特徴とする請求項３又は４記載の駆動方法。
【請求項６】
前記定めるステップは、前記複数のサブフィールド期間の各々の終了時期を発光を終了すべき時期として定めるステップを含み、前記発光せしめるステップは、該定められた発光終了時期及び前記定められた発光期間から発光を開始すべき時期を算出して前記複数の発光素子の各々を発光せしめることを特徴とする請求項３又は４記載の駆動方法。
【請求項７】
前記発光せしめるステップは、前記サブフィールド期間毎の発光期間を複数の期間に分割して前記複数の発光素子の各々を発光せしめることを特徴とする請求項３ないし６のいずれか１に記載の駆動方法。
【請求項８】
前記サブフィールド期間は、サブフィールド２n階調法に基づいて定められることを特徴とする請求項３ないし７のいずれか１に記載の表示装置。
【請求項９】
前記発光パネルは、マトリクス状に配置された走査線及びドライブ線の複数の交差位置の各々に赤、緑及び青のうちいずれか１種類の発光素子が前記走査線及びドライブ線間に接続されたカラー発光パネルであることを特徴とする請求項１ないし８のいずれか１に記載の駆動方法。
【請求項１０】
前記定めるステップは、前記調光信号の変化に対して、該赤、緑及び青の各種類の発光素子に関する発光期間の変化が同じ割合となるように前記発光期間を定めることを特徴とする請求項９記載の駆動方法。
【請求項１１】
マトリクス状に配置された複数の発光素子及び前記複数の発光素子の各々を駆動する駆動回路を含む発光パネルと、入力映像信号に応じて前記駆動回路を制御する表示制御部と、前記発光パネルの表示輝度を調整するための調光信号を生成する調光信号生成回路と、を有するマトリクス型の表示装置であって、
前記調光信号の内容に応じて、前記入力映像信号の同期タイミングに対応する単位フレーム期間内の前記複数の発光素子の各々の発光期間を定める調光制御部と、
前記複数の発光素子の各々の発光時間を計時するタイマと、
前記タイマの出力に基づいて、該定められた発光期間に応じて前記複数の発光素子の各々を発光せしめるスイッチ回路と、を有することを特徴とする表示装置。
【請求項１２】
前記調光制御部は、前記発光パネルの各走査ラインに対して、単位フレーム期間内の発光期間の長さが同一となるように前記発光期間を定めることを特徴とする請求項１１記載の表示装置。
【請求項１３】
マトリクス状に配置された複数の発光素子及び前記複数の発光素子の各々を駆動する駆動回路を含む発光パネルと、入力映像信号の同期タイミングに対応する単位フレーム期間内に設定された複数のサブフィールド期間毎に前記駆動回路を制御する表示制御部と、前記発光パネルの表示輝度を調整するための調光信号を生成する調光信号生成回路と、を有するマトリクス型の表示装置であって、
前記調光信号の内容に応じて、前記複数のサブフィールド期間の各々に対し、前記複数の発光素子の各々の発光期間を定める調光制御部と、
前記複数の発光素子の各々の発光時間を計時するタイマと、
前記サブフィールド期間毎に、前記タイマの出力に基づいて、該定められた発光期間に亘り前記複数の発光素子の各々を発光せしめるスイッチ回路と、を有することを特徴とする表示装置。
【請求項１４】
前記調光制御部は、前記発光パネルの各走査ラインに対して、対応する前記サブフィールド期間の発光期間の長さが同一となるように前記発光期間を定めることを特徴とする請求項１３記載の表示装置。
【請求項１５】
前記調光制御部は、前記複数のサブフィールド期間の各々の開始時期を発光の開始時期として定め、前記スイッチ回路は、該定められた発光開始時期から前記定められた発光期間に亘り前記複数の発光素子の各々を発光せしめることを特徴とする請求項１３又は１４記載の表示装置。
【請求項１６】
前記調光制御部は、前記複数のサブフィールド期間の各々の終了時期を発光の終了時期として定め、前記スイッチ回路は、該定められた発光終了時期及び前記定められた発光期間から算出される発光開始時期から前記定められた発光期間に亘り前記複数の発光素子の各々を発光せしめることを特徴とする請求項１３又は１４記載の表示装置。
【請求項１７】
前記調光制御部は、前記サブフィールド期間毎の発光期間を複数の期間に分割して前記発光期間を定めることを特徴とする請求項１３ないし１６のいずれか１に記載の表示装置。
【請求項１８】
前記サブフィールド期間は、サブフィールド２n階調法に基づいて定められることを特徴とする請求項１３ないし１７のいずれか１に記載の表示装置。
【請求項１９】
前記発光パネルは、マトリクス状に配置された走査線及びドライブ線の複数の交差位置の各々に赤、緑及び青のうちいずれか１種類の発光素子が前記走査線及びドライブ線間に接続されたカラー発光パネルであることを特徴とする請求項１１ないし１８のいずれか１に記載の表示装置。
【請求項２０】
前記調光制御部は、前記調光信号の変化に対して、該赤、緑及び青の各種類の発光素子に関する発光期間の変化が同じ割合となるように前記発光期間を定めることを特徴とする請求項１９記載の表示装置。
【請求項２１】
前記発光パネルは、エレクトロルミネセンス発光パネルであることを特徴とする請求項１１ないし２０のいずれか１に記載の表示装置。
【請求項２２】
前記発光パネルは、プラズマ・ディスプレイ・パネルであることを特徴とする請求項１１ないし２０のいずれか１に記載の表示装置。
【請求項２３】
前記調光制御部は、前記調光信号の内容に応じて、該赤、緑及び青の各種類の発光素子の発光期間を調整することを特徴とする請求項１９記載の表示装置。